(57)【要約】【課題】  安全上重要な、あるいは、興味ある調節、または、駆動状態が電子的に検出され或いは監視され、機能性全体を向上したとしても、構造的に単純で安価で長期に亘って確実に機能する構造を有する安全スキービンディングを提供する。【解決手段】  本発明はトウピースとヒールピースとビンディングの調節されたセーフティ解放値を表示する電子表示装置７とセンサ構成とを有する電子回路組立体とを具備する安全スキービンディングに関する。トウピースおよびヒールピース内には、セーフティ解放値を検出するセンサを備えた電子評価装置が配置される。評価装置は専用のエネルギ供給装置と、互いに対してワイヤレスで一方向または双方向にデータまたは信号を伝送する送受信装置を有する。トウピースまたはヒールピースに配置されている１つの表示装置のみがトウピースおよびヒールピースの値または状態を視覚化するように形成されている。【選択図】      図１
2004230169.tif 000002
【特許請求の範囲】
【請求項１】
トウピース（４）およびヒールピース（５）と、少なくとも、安全スキービンディング（１）の調節されたセーフティ解放値を表示するための電子表示装置（７）とセンサ構成（８）とを有する電子回路組立体（６）と、を具備する安全スキービンディング（１）において、上記トウピース（４）内にもヒールピース（５）内にも少なくともそれぞれ調節されたセーフティ解放値を検出するためのそれぞれ少なくとも１つのセンサ（１５、１６）を備えた電子評価装置（１３、１４）が配置され、これら２つの電子評価装置（１３、１４）はそれぞれ専用のエネルギ供給装置（２１、２２）と、互いに対してワイヤレスで一方向または双方向にデータまたは信号を伝達するための送信および／または受信装置（１９、２０）とを有し、上記トウピース（４）またはヒールピース（５）に配置されている唯一の表示装置（７）、特に、グラフィック能力を有するディスプレイ（２５）のみが、トウピース（４）およびヒールピース（５）それぞれの値または状態を視覚化するように形成されていることを特徴とする安全スキービンディング。
【請求項２】
上記ヒールピース（５）内に配置されている電子評価装置（１４）がスキーシューズに対するヒールピース（５）の押圧ばね部（２７）の圧接力を測定し或いは調べるためのセンサ（２６）に接続されていることを特徴とする請求項１に記載の安全スキービンディング。
【請求項３】
上記ヒールピース（５）内に配置されている電子評価装置（１４）がヒールピース（５）の開放状態および／または閉鎖状態を検出するための少なくとも１つのセンサ（３３）に接続されていることを特徴とする請求項１に記載の安全スキービンディング。
【請求項４】
上記調節されたセーフティ解放値を検出するためのセンサ（１５；１６）が少なくとも２つのホール効果センサ（４３、４４）によって形成され、その検出領域内に解放機構（１０；１２）の解放値のための調節ねじ（９；１１）に回転移動結合された多極の環状磁石（４５）が配置されていることを特徴とする請求項１に記載の安全スキービンディング。
【請求項５】
上記調節ねじ（９；１１）が回動したときに上記環状磁石（４５）の円形の周方向に互いに隔てられたホール効果センサ（４３、４４）によって少なくとも１つのデジタルセンサ信号（４７、４８）が生成され、上記電子評価装置（１３；１４）が少なくとも１つのデジタルセンサ信号（４７；４８）のパルス（５１）または周期を計数し或いは登録するための少なくとも１つのカウンタ（５０）によって形成されていることを特徴とする請求項４に記載の安全スキービンディング。
【請求項６】
上記調節ねじ（９；１１）の回転方向に従って且つそれに伴って第２のホール効果センサ（４４）のデジタルセンサ信号（４８）に対する第１のホール効果センサ（４３）のデジタルセンサ信号（４７）の位相に従って、不揮発性メモリ装置（５２）内に格納されている調節ねじ（９；１１）の回転によるこれまでのパルス（５１）または周期の計数値（５３）が増分され或いは減分されることを特徴とする請求項５に記載の安全スキービンディング。
【請求項７】
上記圧接力を電子的に測定するためのセンサ（２６）が磁場センサ（５５）、特に、ＧＭＲ（Giant Magneto Resistive）センサ（５６）によって形成されていることを特徴とする請求項２に記載の安全スキービンディング。
【請求項８】
上記磁場センサ（５５）がヒールピース（５）のハウジング（２４）に相対移動しないように結合され、押圧ばね部（２７）の磁場センサ（５５）に対して相対移動可能な部分に永久磁石（５８）または金属部分（５７）が形成されていることを特徴とする請求項７に記載の安全スキービンディング。
【請求項９】
上記開放位置と閉鎖位置とを検出するためのセンサ（３３）が第１のホールセンサ（６３）と第２のホールセンサ（６４）とによって形成され、第１のホールセンサ（６３）が開放状態を信号化するように形成され、第２のホールセンサ（６４）が閉鎖状態を信号化するように形成されていることを特徴とする請求項３に記載の安全スキービンディング。
【請求項１０】
上記電子評価装置（１３；１４）が少なくとも１つのセンサ（１５、１６、２６、３３）の電気エネルギ供給を周期的に実行したり停止したりするように形成されていることを特徴とする請求項１〜９のいずれか１項に記載の安全スキービンディング。
【請求項１１】
上記トウピース（４）内に配置されている電子評価装置（１３）および／またはヒールピース（５）内に配置されている電子評価装置（１４）が移動センサ（５４）に接続されていることを特徴とする請求項１〜１０のいずれか１項に記載の安全スキービンディング。
【請求項１２】
上記電子評価装置（１３；１４）が上記移動センサ（５４）の信号状態が所定の期間に亘って変化しないときにオフにされ或いは電流節約モードへ移行されることを特徴とする請求項１１に記載の安全スキービンディング。
【請求項１３】
スリープモードまたは電流節約モードにおいて、上記移動センサ（５４）の信号状態を優先的に評価するように上記電子評価装置（１３；１４）が形成され、該電子評価装置（１３；１４）の他の機能は非作動にされ或いは最小限にされることを特徴とする請求項１２に記載の安全スキービンディング。
【請求項１４】
上記表示装置（７）が上記移動センサ（５４）の信号と移動が登録されずに経過した期間とに従って上記電子評価装置（１３；１４）または移動センサ（５４）を介してオフにされることを特徴とする請求項１１に記載の安全スキービンディング。
【請求項１５】
上記ヒールピース（５）が閉鎖状態から開放状態へ変わったときにときに表示装置（７）をオフにし或いは電流節約モードへ移行させるように上記トウピース（４）内の電子評価装置（１３）が形成されていることを特徴とする請求項１〜１４のいずれか１項に記載の安全スキービンディング。
【請求項１６】
周辺の電子計算ユニット、特に、リストトップコンピュータ（３７）、ハンドヘルドコンピュータ、モバイル電話、または、他の電子ユニット（３６）へデータ信号をワイヤレスで伝送し、および／または、それらからデータ信号をワイヤレスで受信するように上記トウピース（４）および／またはヒールピース（５）内の送信および／または受信装置（１９、２０）が形成されていることを特徴とする請求項１に記載の安全スキービンディング。
【発明の詳細な説明】
【技術分野】
【０００１】
本発明は、請求項１に記載されているようなトウピースとヒールピースと電子回路組立体とを有する安全スキービンディングに関する。
【背景技術】
【０００２】
特許文献１には、調節されたセーフティ解放値用の電子表示装置を備えた安全スキービンディングが開示されている。ここでは、センサおよび電子評価装置によって検出され求められた調節値を視覚化するディスプレイが設けられている。さらに、バッテリの形の電気エネルギ供給装置が設けられており、ここでは、電気コンポーネントへのエネルギ供給がスイッチを用いて実行されたり停止されたりできる。また、調節されたセーフティ解放値を測定するセンサは、セーフティ解放値を調節する調節ねじの位置に応じて特有の電気センサ信号を提供する位置センサによって形成されている。また、センサとして、容量センサ、誘導センサ、または、多数のマイクロスイッチが設けられる。さらに、調節ねじの位置を電子的に検出するためにポテンショメータ（または、調節可能な抵抗器）が設けられている。ここでの欠点は、ほぼ静的な或いは絶対的な位置センサのアナログの信号評価が必要であることから、干渉感度が高く、あるいは、電子コンポーネントの出力範囲が小さいことである。さらに、トウピースの調節値とヒールピースの調節値とを視覚化するために、トウピース内にもヒールピース内にも、適当なセンサと表示装置とを備えた電子スイッチング回路が必要である。
【０００３】
特許文献２には、安全スキービンディングの調節された解放力を表示する電子表示装置が開示されている。ここでは、解放機構のばね応力が電気機械的なトランスデューサによって検出され、このトランスデューサは現在のばね弾性を電気的な情報に変換する。電子回路が、この情報を数値に変換し、この情報が数値的な表示装置に表示される。さらに、ビンディングのハウジングに対する調節ねじの移動量を測定するポテンショメータも提案されている。また、ここでも、絶対的に測定する力センサあるいは圧力センサまたは同様に提案されているオームポテンショメータのアナログの信号評価によって、信号調整時に、あるいは、電子システムの干渉強さに関して、困難が生じる可能性がある。
【０００４】
特許文献３およびそのパテントファミリーである特許文献４には、安全スキービンディングの様々な駆動状態を検出する多数の電気的なスイッチング素子を備えた安全スキービンディングが開示されている。ここでは、トウピース内にもヒールピース内にも電気的なスイッチング接点が配置され、これらスイッチング接点を介して、例えば、雪の過度の着、ソールの摩耗、不適な圧接力、ソールホルダ高さの誤調節、および、ヒールピースの開放または閉鎖といった種々の状態を求めることができる。また、この単極（または、多極）のスイッチング接点（特に、グループにまとめられた閉鎖接点、または、スイッチング接点）は、トウピースおよびヒールピース内に配置され、電気エネルギ供給装置および表示ランプと共に電子表示回路へ導かれている。スイッチング接点の１つが安全上危機的な、あるいは、適合しない状態がある中で作動された場合、表示ランプが点灯し、あるいは、ブザーが作動され、ビンディングの許容できない状態（または、安全上由々しき状態）のしるしとなる。ここでの欠点は、表示ランプが点灯し或いは点滅したときに、どのような許容できない駆動状態が存在するかを一義的に認識することができず、きちんとした状態をもたらすためには、ユーザーは多くの試みや試行を行って問題箇所を見いださなければならないことである。こうした意義に乏しい表示装置の他に、ここでの他の欠点は、トウピースのスイッチング素子とエネルギ供給装置（または、表示ランプ）との間、または、ヒールピースのスイッチング素子とエネルギ供給装置（または、表示ランプ）との間の電気的な導線接続が、スキービンディング部分の機械的な可変性を制限し、また、こうした導線接続に高い電気機械的な要請を課さなければならないことにある。
【０００５】
特許文献５には、２つのピースと、危険なほど高い力が発生したときに電気的に制御される安全解放部とを有する安全スキービンディングが開示されている。ここでは、ピースの少なくとも１つの中にセンサが設けられ、そのセンサは発生した力（または、負荷）を記録し、スキー本体内に収容されている信号処理回路へワイヤレスで伝達する。特に、ピース内のセンサとスキー本体内の信号処理回路との間には、電気化学的に或いは電気的に導通する接続はない。このために、送信・受信配置が形成されており、これは、例えば、誘導的に結合されたコイル（または、容量的に結合され且つ絶縁して配置された導電性のあるフィルムまたは面）によって形成することができる。こうした送信・受信装置を介して、センサ信号だけでなく、駆動に必要な、センサのため、あるいは、ピースボディ内の電気機械的な解放装置のために必要な電気エネルギもワイヤレスで伝達される。ここでの欠点は、僅か数センチメートルの伝送区間を介して保護された信号伝達またはエネルギ伝達をもたらすために、高い電気出力が必要なことである。重要な、あるいは、興味ある状態（または、調節）のための表示システムは、これら前に知られているビンディングからは与えられない。
【０００６】
特許文献６には、スキービンディング電子装置内の値を非接触で調節する調節手段が記載されている。ここでは、アクセスできず或いは封入されているビンディング電子装置における値を変化させるためのホール効果センサ、感光センサ、または、圧電装置が提案されている。したがって、ポテンショメータ（または、その他の電気機械的な調節機構）に、ガイドや回転軸承は不要である。これらは、水分が浸入したときに、短絡する危険性があったり、現在の実際に状況が歪曲される可能性があったりすることから、シール性に関して幾重にも問題となるものである。提案されている調節手段によって、非接触で、水分のような外部の影響に対して不感の調節（または、電子的な調節）の適合はできるが、提案されている形態によっては、安全スキービンディングの安全調節（または、実際の状態）を検査することはできない。
【０００７】
特許文献７には、電子表示装置とセンサとを有するスキービンディングが開示されており、ここでは、スキーに対するスキービンディングの相対変位（または、トウピースとヒールピースとの間の間隔）を検出して表示することができる。さらに、距離センサや力測定装置も提案されており、これによれば、スキービンディングにおいて調節された解放力が測定され、導線を介して評価装置へ伝達され、位置値の場合と同様に、数値の形でディスプレイに表示することができる。ここでの欠点は、測定値発生器（または、センサ）と表示装置との間の導線接続が、スキービンディングの構造を複雑にし、確実な信号伝達（または、エネルギ伝達）のための構造的なコストが高いことから、提案されているスキービンディングの電子的な機能範囲が制限されていることである。さらに、構造的なコンポーネントによって予め定められている機能範囲は、もはや、後から拡張することはできない。さらに、電子コンポーネント間の導線接続は、負荷が発生したときに破断する危険性があり、また、複雑な電気機械的な補償措置が講じられ、それは、複雑さの増大やコストの上昇を意味する。
【特許文献１】欧州特許出願公開第０４６９４５３号明細書
【特許文献２】独国特許出願公開第３３４３０４７号明細書
【特許文献３】独国特許出願公開第２９２６３８５号明細書
【特許文献４】米国特許第４３１１３２１号明細書
【特許文献５】独国特許出願公開第３２１６５２２号明細書
【特許文献６】米国特許第４５０２１４６号明細書
【特許文献７】オーストリア特許第４０４９０１号明細書
【発明の開示】
【発明が解決しようとする課題】
【０００８】
本発明の目的は、安全上重要な、あるいは、興味ある調節、または、駆動状態が電子的に検出され或いは監視され、機能性全体を向上したとしても、構造的に単純で、できるだけ安価で、長期に亘って確実に機能する構造を有する安全スキービンディングを提供することにある。
【課題を解決するための手段】
【０００９】
本発明の目的は、１番目の発明、すなわち、トウピースおよびヒールピースと、少なくとも、安全スキービンディングの調節されたセーフティ解放値を表示するための電子表示装置とセンサ構成とを有する電子回路組立体と、を具備する安全スキービンディングにおいて、上記トウピース内にもヒールピース内にも少なくともそれぞれ調節されたセーフティ解放値を検出するためのそれぞれ少なくとも１つのセンサを備えた電子評価装置が配置され、これら２つの電子評価装置はそれぞれ専用のエネルギ供給装置と、互いに対してワイヤレスで一方向または双方向にデータまたは信号を伝達するための送信および／または受信装置とを有し、上記トウピースまたはヒールピースに配置されている唯一の表示装置、特に、グラフィック能力を有するディスプレイのみが、トウピースおよびヒールピースそれぞれの値または状態を視覚化するように形成されていることを特徴とする安全スキービンディングによって、達成される。
【００１０】
２番目の発明では、１番目の発明において、上記ヒールピース内に配置されている電子評価装置がスキーシューズに対するヒールピースの押圧ばね部の圧接力を測定し或いは調べるためのセンサに接続されている。
３番目の発明では、１番目の発明において、上記ヒールピース内に配置されている電子評価装置がヒールピースの開放状態および／または閉鎖状態を検出するための少なくとも１つのセンサに接続されている。
４番目の発明では、１番目の発明において、上記調節されたセーフティ解放値を検出するためのセンサが少なくとも２つのホール効果センサによって形成され、その検出領域内に解放機構の解放値のための調節ねじに回転移動結合された多極の環状磁石が配置されている。
【００１１】
５番目の発明では、４番目の発明において、上記調節ねじが回動したときに上記環状磁石の円形の周方向に互いに隔てられたホール効果センサによって少なくとも１つのデジタルセンサ信号が生成され、上記電子評価装置が少なくとも１つのデジタルセンサ信号のパルスまたは周期を計数し或いは登録するための少なくとも１つのカウンタによって形成されている。
６番目の発明では、５番目の発明において、上記調節ねじの回転方向に従って且つそれに伴って第２のホール効果センサのデジタルセンサ信号に対する第１のホール効果センサのデジタルセンサ信号の位相に従って、不揮発性メモリ装置内に格納されている調節ねじの回転によるこれまでのパルスまたは周期の計数値が増分され或いは減分されることを特徴とする請求項５に記載の安全スキービンディング。
７番目の発明では、２番目の発明において、上記圧接力を電子的に測定するためのセンサが磁場センサ、特に、ＧＭＲ（Giant Magneto Resistive）センサによって形成されている。
【００１２】
８番目の発明では、７番目の発明において、上記磁場センサがヒールピースのハウジングに相対移動しないように結合され、押圧ばね部の磁場センサに対して相対移動可能な部分に永久磁石または金属部分が形成されていることを特徴とする請求項７に記載の安全スキービンディング。
９番目の発明では、３番目の発明において、上記開放位置と閉鎖位置とを検出するためのセンサが第１のホールセンサと第２のホールセンサとによって形成され、第１のホールセンサが開放状態を信号化するように形成され、第２のホールセンサが閉鎖状態を信号化するように形成されていることを特徴とする請求項３に記載の安全スキービンディング。
１０番目の発明では、１〜９番目の発明のいずれか１つにおいて、上記電子評価装置が少なくとも１つのセンサの電気エネルギ供給を周期的に実行したり停止したりするように形成されている。
【００１３】
１１番目の発明では、１〜１０番目の発明のいずれか１つにおいて、上記トウピース内に配置されている電子評価装置および／またはヒールピース内に配置されている電子評価装置が移動センサに接続されている。
１２番目の発明では、１１番目の発明において、上記電子評価装置が上記移動センサの信号状態が所定の期間に亘って変化しないときにオフにされ或いは電流節約モードへ移行される。
１３番目の発明では、１２番目の発明において、スリープモードまたは電流節約モードにおいて、上記移動センサの信号状態を優先的に評価するように上記電子評価装置が形成され、該電子評価装置の他の機能は非作動にされ或いは最小限にされる。
【００１４】
１４番目の発明では、１１番目の発明において、上記表示装置が上記移動センサの信号と移動が登録されずに経過した期間とに従って上記電子評価装置または移動センサを介してオフにされる。
１５番目の発明では、１〜１４番目の発明のいずれか１つにおいて、上記ヒールピースが閉鎖状態から開放状態へ変わったときにときに表示装置をオフにし或いは電流節約モードへ移行させるように上記トウピース内の電子評価装置が形成されている。
１６番目の発明では、１番目の発明において、周辺の電子計算ユニット、特に、リストトップコンピュータ、ハンドヘルドコンピュータ、モバイル電話、または、他の電子ユニットへデータ信号をワイヤレスで伝送し、および／または、それらからデータ信号をワイヤレスで受信するように上記トウピースおよび／またはヒールピース内の送信および／または受信装置が形成されている。
【発明の効果】
【００１５】
本発明のスキービンディング（以下単に「ビンディング」ともいう）の効果の１つは、トウピースおよびヒールピースの安全調節（特に、いわゆるＺ値）が電子的に記録され或いは登録され、トウピースに対する有効な調節もヒールピースに対する有効な調節も視覚化されていることにある。すなわち、トウピースの解放値（または、固定保持限界値）の調節が電子的に検出されるだけでなく、それに対して原則的に独立して調節可能なヒールピースの解放値（または、固定保持限界値）の調節も電子的に求められ、少なくとも視覚的に認識可能に表示される。したがって、この増大された機能範囲は、例えば、ビンディングのユーザーによって、トウピースとヒールピースとからなる安全スキービンディング（以下単に「ビンディング」ともいう）全体の安全調節を簡単で且ついつでも実施可能に検査できるようにする。さらに、行うべき調節の精度を向上させることができ、ビンディングのトウピースとヒールピースとの間の等しくない調節、あるいは、ペアで利用するビンディングの異なる調節を即座に認識することができる。したがって、電子的なビンディングの高められた機能性が、安全性を高め、読取りないし調節の快適性を向上させる。また、本発明のビンディングは、機能範囲が増大され、トウピースおよびヒールピース内の電子ユニットが構造的に独立して形成されているにも係わらず、使用駆動において不利な環境状況下でも、長期に亘って高い機能信頼性を有する。特に、トウピースとヒールピースの独立し或いは自足した電子ユニットとの間にワイヤレス（または、非接触）の信号伝送区間（または、データ伝送区間）を形成することによって、電気的な接触が悪いことによる機能故障の危険が生じない。トウピースとヒールピースとを電気的に導通する接続は、構造的に複雑になる。というのは、適切な措置（特に、電気的な短絡を防止するための複雑なシール）を行わなければならないからである。
【００１６】
さらに、ワイヤレスでの信号伝送（または、データ伝送）によって、互いに相対移動する部分間（特に、スキーまたはそのビンディングプレートとトウピースまたはヒールピースのハウジングとの間）に、例えば、摺り接触接続または破断の危険のある導体ストラップを設ける必要がなくなる。特に、トウピースとヒールピースとの間で高周波無線信号をワイヤレスで伝送するようにしていることで、スキーに対するトウピースおよび／またはヒールピースの位置を様々に変えることができる。具体的には、スキーに対するビンディング全体の相対位置が変位した場合、または、大きさの異なるシューズに適合させるためにピース間隔が変化した場合に、ビンディングの電子システム内にマイナスの効果は発生しない。これが全体として、ビンディングが機械的に多様に調節可能ないし変位可能であっても、向上された機能確実性をもたらす。さらに、本発明のビンディングの利点は、１つの電子表示装置のみを配置することによって、ユーザーにとっての見やすさや判りやすさはそのままで、本発明のビンディングのコスト全体を低く抑えられることにある。さらに、トウピースおよびヒールピースの状態または値を中央で表示することによって、操作快適性が向上し、あるいは、興味ある、あるいは、システム上重要な状態または値の読取りが簡単になる。
【００１７】
請求項２に記載の発明も効果的である。というのは、これによれば、ビンディングのきちんとした機能のために同様に重要な挿入されているスキーシューズへのビンディングの圧接力をユーザーが問題なくコントロールすることができるからである。特に、支配的な圧接力の表示がトウピースの領域内で行われる場合、各調節値はビンディングのユーザーの視野内でよく見える。すなわち、ヒールピース内で圧接力を電子的に検出するにも係わらず、この圧接力を簡単な方法でトウピース内に表示することができる。特に、圧接力が正しくない場合には、ビンディングのユーザーにこの状況について注意を促し、例えば、スキーシューズやスキービンディングを清掃したり、押圧ばね部を正しく調節したりと、それに対処することができる。
【００１８】
請求項３に記載の発明も効果的である。というのは、これによれば、ビンディングのユーザーに、ビンディングが正しく閉鎖されているか、あるいは、スキーシューズで正しくビンディング内へ乗り込んだと思ったにも係わらず、安全上問題となる中間位置または部分的な開放位置が存在するかについて、誤解しようのない方法で伝達できるからである。したがって、本発明のビンディングを使用した場合に得られる安全性は、この形態によってさらに向上させることができる。さらに、これによれば、セーフティ解放値を求めるために設けられている電子コンポーネントに、より高い利用度が与えられる。
【００１９】
請求項４には、セーフティ解放値を検出するためのセンサの好適な実施形態が記載されている。ここで効果的なのは、このセンサは発生した熱的な影響や機械的な影響に対して特に干渉不感であって、調節されたセーフティ解放値の良好な測定技術的な解像を得ることができることである。さらに効果的なことは、測定量または調節領域の高い解像度または十分に細かい段階を得るために、機械的な変換器や変換伝導機構を必要としないことである。さらに、こうした形成は、湿気や液体の侵入に対して長期に亘っても比較的不感である。
【００２０】
さらに、請求項５に記載の発明も効果的である。というのは、これによれば、検出センサの電流消費が少なく、したがって、長期間に亘って、ビンディングの保守が不要であり、あるいは、完全に機能する駆動が達成できるからである。さらに効果的なことは、インクリメンタルな距離測定システム（または、いわゆる増分検出器）が検出センサとして使用され、これにより、ビンディング電子装置の干渉に関する安全性が高められることである。
【００２１】
請求項６に記載の発明も効果的である。というのは、これによれば、デジタル信号処理、したがって、高度に干渉に不感の信号処理を行うことができ、測定量（特に、調節ねじの変位距離または移動した回転角度の増加と減少）を確実な方法で認識することができるからである。
【００２２】
請求項７に記載の発明では、好ましくは、例えば、「ＯＫ」や「ＯＫではない」といった形のほぼバイナリの圧接力検出を行うことができるだけでなく、中間値または目標圧接力からの様々な偏差のための多数の値領域または理想的な圧接力を検出し或いは評価することができる。
【００２３】
請求項８に記載の発明では、好ましくは、実の距離測定が行われ、様々な間隔状況に亘って簡単な方法で支配的な圧接力を推定することができる。好ましくは、さらに、磁場センサはハウジング固定で取り付けられ、あるいは、その電気的な接続端がビンディングハウジングによって支持されているので、相対的な変位が発生したとしても、ケーブルストラップまたは補償運動を可能にする導体接続が必要になることはない。
【００２４】
請求項９に記載の発明も効果的である。というのは、これによれば、機能が確実で特に干渉に敏感でないセンサが形成され、このセンサは、さらに、それぞれ別体のセンサによって２つの終端位置が監視され或いは検出されるので、許容できない中間位置も簡単な方法で認識できることにより、現在の状態の検出の正しさを向上させるからである。
【００２５】
請求項１０に記載の発明によれば、電気エネルギ消費が削減され或いは最小限に抑える。
【００２６】
請求項１１に記載の発明によれば、電子コンポーネントをオフ状態（または、エネルギ節約モード）へ自動的に移行させることにより、エネルギ消費が減少される。
【００２７】
請求項１２に記載の発明によれば、電子コンポーネントのエネルギ消費が著しく削減される。というのは、例えば、夏季に、長期間の静止時間に亘って、あるいは、夜間、エネルギ消費は無視できるほど小さく或いはゼロになるからである。
【００２８】
請求項１３に記載の発明も効果的である。というのは、これによれば、ビンディング電子装置の機能が必要とされない間、特に僅かなエネルギしか消費されず、したがって、バッテリ（または、アキュムレータ）の最大で提供される容量が制限されているにも係わらず、ビンディング（または、ビンディング電子装置）の長期間に亘る保守のいらない使用期間が得られるからである。さらに、ビンディング電子装置は、最初に移動した場合に簡単な方法で自動的に再び作動され、それによって該当する課題を満たすことができる。
【００２９】
請求項１４に記載の発明も効果的である。というのは、これによれば、表示装置の電流消費をそれが必要とされない間、最低限に抑え或いはゼロにすることができるので、エネルギ供給装置（特に、電気化学的な電流源）ができるだけ長期間に亘って電子コンポーネントの必要なエネルギ供給を引き受けることができるからである。
【００３０】
請求項１５に記載の発明も効果的である。というのは、これによれば、ビンディングから降り、あるいは、ビンディングがその他の方法で、例えば、スキー安全解放によって開放されたときに、表示装置が即座にオフにされるので、ビンディング内の電子コンポーネントのエネルギ消費を低下させることができるからである。
【００３１】
そして、請求項１６に記載の発明も効果的である。というのは、これによれば、電子的なビンディングにおいて、構造的に複雑でコストのかかる入力手段を省くことができるからである。特に、それによって独立した電子計算ユニットをビンディング内の電子システムのためのプログラミング手段および／または操作手段および／または表示手段として利用することができる。したがって、入力手段は必要ないか、あるいは、極めて僅かな簡単な入力手段しか必要とされないので、例えば、水分、振動、機械的負荷のような外部の干渉影響に関する問題も発生しない。さらに、それによって、ビンディングの電子システムにおける保守、サービスおよび適合作業の際の機能多様性または操作快適性を特に高く見積もることができる。
【発明を実施するための最良の形態】
【００３２】
以下、図示した実施例を用いて本発明を詳細に説明する。
【００３３】
始めに、異なる実施形態においても、同じ部分には、同じ参照符号（または、同じ構成部品名）を付し、説明全体に含まれている開示は、その主旨に従って、同じ参照符号（または、同じ構成部品名）を付された同じ部分に置き換えることができる。また、説明で用いられる位置に関する表記（例えば、上、下、側方など）は、直接説明され図示された図に関するものであって、位置が変わった場合、その主旨に従って新たな位置に変わる。さらに、図示され説明されている様々な実施例の個々の特徴またはこれら特徴の組合わせも、独立した発明的な解決または発明に基づく解決を表すことができる。
【００３４】
図１には、本発明の安全スキービンディング１の可能な実施形態が、極めて簡略化されて象徴的な形で示されている。こうしたビンディング１は、一般に知られているように、ペアで使用され、必要に応じてスポーツシューズ（特に、いわゆるスキーシューズ）を板状の滑走装置２（特に、ペアで使用されるスキー３）に結合するために用いられる。
【００３５】
ビンディング１は、概して、スポーツシューズの尖端の領域を保持するトウピース４と、ビンディング１内へ挿入されたスポーツシューズの踵の領域を保持するヒールピース５とからなる。場合によっては、トウピース４および／またはヒールピース５とスキー３との間に、概略的に示唆されている、いわゆるビンディング支持プレートを配置することもできる。
【００３６】
また、場合によっては、ビンディング１に、概略的に示唆されているように、トウピース４および／またはヒールピース５の互いに対する位置、および／または、スキー３の長手方向において該スキー３に対するトウピース４とヒールピース５とからなるユニットの位置を個別に調節するための変位機構（または、調節機構）も設けられる。従来技術から様々な形式で知られているこうした変位機構（または、調節機構）によって、予め定められた範囲内で、労なく、ビンディング１を各シューズの大きさや長さに適合させ、および／または、ビンディング１とスキー３またはビンディング支持プレートとの間の力導入点を個々に移動させることができる。
【００３７】
さらに、ビンディング１は電子回路組立体（以下単に「回路組立体」ともいう）６を有する。回路組立体６には、表示装置７と少なくとも１つのセンサ構成８とが接続されている。回路組立体６は、少なくとも、ビンディング１の調節されたセーフティ解放値を検出して表示するために設けられている。また、ビンディング１は、公知のように、１つのビンディングタイプによって多数の異なる条件（または、ユーザー）をカバーすることができるように、セーフティ解放値のための予め定められた調節領域、または、スキーシューズの最大の固定保持値を有する。ここで、セーフティ解放値（または、いわゆるＺ値）は、トウピース４内の解放機構１０に設けられた調節ねじ９によって、現在のユーザーの個別の要請や安全上の要請に適合させることができる。同様に、ヒールピース５内の独立した解放機構１２に設けられている調節ねじ１１を介しても、セーフティ解放値（または、Ｚ値）を変更し或いは調節することができる。トウピース４またはヒールピース５内の解放機構１０、１２（または、可変に調節可能なリリース機構）は、公知のように、ユーザーが怪我をする危険性が高い過度の負荷が発生したときに、滑走装置２に対してスポーツシューズをコントロールしつつ解放するために用いられる。ここで、解放機構１０、１２が原則的に互いに独立していることから、セーフティ解放値を互いに異なる形で調節可能である。
【００３８】
トウピース４およびヒールピース５それぞれの調節されたセーフティ解放値は、表示装置７において視覚化することができる。そのために、トウピース４内にもヒールピース５内にも、それぞれ独立して構成された電子評価装置（以下単に「評価装置」ともいう）１３、１４が形成され、あるいは、トウピース４に対応した評価装置１３とヒールピース５に対応した評価装置１４とが実装されている。トウピース４に対応した評価装置１３とそこから離れた場所にあるヒールピース５に対応した評価装置１４とは、それぞれ、少なくとも調節されたセーフティ解放値を検出するために、少なくとも１つのセンサ１５、１６に接続されている。特に、トウピース４内で実施される電気導線接続１７が、センサ１５と評価装置１３との間に形成され、ヒールピース５内では、センサ１６と評価装置１４との間に独立した導線接続１８が形成されている。ここで、センサ１５、１６は、力の絶対値（または、付勢力の絶対値）を検出する位置センサ（または、圧力センサ）として形成されているのではなく、解放機構１０、１２における変位プロセス（または、調節プロセス）を増分検出するパルス発生器（または、増分検出器）として形成されており、これについては、以下で、詳細に説明する。すなわち、センサ１５、１６は、解放機構１０、１２の変位（特に、調節ねじ９、１１の変位または回転）を監視し或いは検出する。後に詳述するが、行われた操作距離と操作方向または移動された回転角度（この回転角度は調節ねじ９、１１の多数の回転も含む）を電子的に検出することによって、その後、各評価装置１３、１４によって、最後に有効だった調節値を考慮して、セーフティ解放値の実際に有効な調節を計算し、これについては、以下で、詳細に説明する。
【００３９】
トウピース４内に配置された評価装置１３も、ヒールピース５内に配置された評価装置１４も、高周波、電磁波、または、無線信号用の送信および／または受信装置（以下「送受信装置」という）１９、２０を有する。送受信装置１９、２０の周波数領域は、好ましくは、いわゆるＩＳＭ（Industrial Scientificial Medical）周波数領域内にあり、これは、ＭＨｚ（メガヘルツ）領域からＧＨｚ（ギガヘルツ）領域に達する。特に、例えば、１３．５６ＭＨｚないし２７．１２５ＭＨｚのＨＦ領域内、または、４００から約９５０ＭＨｚのＵＨＦ領域内の信号伝送（または、データ伝送）が好ましい。
【００４０】
ＨＦモジュールと称することもできるこれら送受信装置１９、２０によって、少なくとも、トウピース４に対応した評価装置１３とヒールピース５に対応した評価装置１４との間で、ワイヤレスでの一方向（または、双方向）のデータ通信（または、信号伝送）が可能である。すなわち、送受信装置１９、２０は、高周波の電磁波をワイヤレス（または、非接触）で受信および／または送信するために用いられる。特に、送受信装置１９、２０によって、少なくとも、互いに距離を開けているトウピース４内の評価装置１３とヒールピース５内の評価装置１４との間で無線信号を一方向（または、双方向）で伝送することが可能である。
【００４１】
トウピース側、または、ヒールピース側の電気コンポーネントを駆動するために、トウピース４にもヒールピース５にも、電気エネルギ供給装置２１、２２が付設されている。これらエネルギ供給装置２１、２２は、好ましくは、電気化学的な電圧源、特に、バッテリ（または、アキュムレータ）によって形成されており、これらは、好ましくは、ピース本体（あるいは、その中）に取り付けられている。また、これらエネルギ供給装置２１、２２は、その近傍の評価装置１３、１４に接続され、好ましくは、トウピース４のハウジング２３またはヒールピース５のハウジング２４内に収容されている。
【００４２】
上述した構成によれば、好ましい方法で、互いに相対変位するコンポーネント間に電気導線接続が必要なくなる。特に、例えば、ビンディング１のピースと滑走装置２（または、ビンディングプレート）といった互いに相対移動する部材間、あるいは、滑走装置２のアクティブな走行駆動中に、好ましくは、互いに少なくとも僅かに相対移動するトウピース４とヒールピース５との間に、フレックス導体接続（または、摺り接触接続、または、エネルギ伝達機構）は不要となる。トウピース４とヒールピース５との間、あるいは、これらピースボディの少なくとも１つとスキー３との間のこの僅かな相対移動は、通常は、ヒールピース５内に収容されているいわゆる押圧ばね部（または、長さ補償ばね部）によって許容され或いは制御される。したがって、トウピース４またはヒールピース５内に内蔵されている電子ユニットには、長期間に亘って、あるいは、使用中にしばしば周囲条件が不利な場合でも、高い機能信頼性があり、機能故障に対する高い安全性がある。
【００４３】
トウピース４とヒールピース５それぞれの値（または、ビンディング１の状態）を少なくとも視覚化するために、ビンディング１には、トウピース４またはヒールピース５に配置された形で、唯一の表示装置７が形成されている。同様に、表示装置７は、その表示面がビンディング１のユーザーに良く見えるように、トウピース４のハウジング２３（または、代替的には、ヒールピース５のハウジング２４）に結合されている。したがって、好ましくは、表示装置７は、トウピース４の上側に配置されている。場合によっては、表示装置７を対応の評価装置１３と共に構造的に１つのユニットを形成してもよい。さもなければ、表示装置７（または、コントローラ）と評価装置１３との間に、いわゆる別体の導線接続を形成してもよい。これは、特に、ピース本体内のスペースが狭いために、例えば、評価装置１３がトウピース４の下側の領域に形成され、表示装置７がトウピース４のハウジング２３の上方の領域に配置されている場合に採用される。
【００４４】
重要なことは、表示手段を持たない側のピースの興味ある値（または、調節）が、該当する表示可能性（または、視覚化可能性）のある側のピースにワイヤレスで伝達されることである。好ましくは、ヒールピース５（または、その中）において、センサにより検出されたヒールピース５の値（または、調節）は、評価装置１４（または、送受信装置２０）を介してワイヤレス（または、非接触）でトウピース４内の送受信装置１９へ伝達され、直接または評価装置１３を介して表示装置７において、表示値がトウピース４について有効なのか、ヒールピース５についてなのかを一義的に認識できるように視覚化される（必ずしもこれに限定されない）。場合によっては、ユーザーが常にどの値がトウピースに関するものであり、どの値がヒールピースに関するものであるかを一義的に認識可能なようにして、共通の表示装置７にトウピース４とヒールピース５の値（または、データ）を同時に表示してもよい。
【００４５】
トウピース４とヒールピース５とによってほぼ共通に利用される表示装置７の表示面がある程度小さく形成されている場合には、トウピース４の値とヒールピース５の値とを一義的に特徴づけて時間的に互いに相前後して視覚化してもよい。
【００４６】
好ましくは、表示装置７は、グラフィック能力を有するディスプレイ２５（特に、多数のグラフィックの自由にプログラミング可能なシンボル、グラフまたはテキストないし数値を表示できるＬＣＤディスプレイ）によって形成されている。好ましくは、ディスプレイ２５を介して様々なグラフィックシンボルが視覚化され、これらグラフィックシンボルによって各情報（または、報告）をユーザーはできるだけ一義的に認識することができる。特に、ディスプレイ２５においてグラフィックシンボルで視覚化することによって、少なくとも幾つかのテキスト出力を省くことができ、これによれば、ビンディングの種々のユーザーの異なる言語による表示の困難さや問題は生じなくなる。したがって、評価装置１３または評価装置１４によって制御して、好ましくは、例えば、「Ｚ」といったような数値、または、個々の文字、および／または、普遍的に理解されるグラフィックシンボル、あるいは、「ＯＫ」や「ＯＰＥＮ」といったテキストのみがディスプレイ２５に出力される。
【００４７】
好適な実施形態によれば、評価装置１３、１４の少なくとも１つによって制御されて、ビンディング１（または、滑走装置２）のメーカーのロゴ（または、商標）、および／または、ビンディング１のタイプ（または、マーク名）もディスプレイ２５に視覚化される。同様に、多数の画素（または、ピクセル）を有するディスプレイ２５によって、グラフィックアニメーションを表示してもよい。
【００４８】
さらに、好ましくは、トウピース５内に配置された評価装置１４は、ヒールピース５の押圧ばね部２７の圧接力を検出するための少なくとも１つの他のセンサ２６に接続されている。
【００４９】
公知のように、押圧ばね部２７は、ビンディング１内へ挿入されたスキーシューズをトウピース４とヒールピース５との間でできるだけあそびがないように保持する。また、押圧ばね部２７は、スキー３が曲がったときに発生するトウピース４またはヒールピース５とスキー３またはビンディング支持プレートとの間の角度変化（または、間隔変化）を少なくとも部分的に補償し或いは吸収するためにも用いられる。こうした押圧ばね部２７は、例えば、スキーに固定された軸受台２８、あるいは、トウピース４とヒールピース５との間の１つ（または、複数）の部材のバンド状の結合部材上に固定された軸受台を有する。この位置固定された軸受台に、弾性的に撓む部材、例えば、コイルばね２９が付設されており、このコイルばねはトウピース４のハウジング２４とスキー３（または、スキーに固定されたヒールピース５用の長手ガイド）との間の制限された相対変位を許す。好ましくは、弾性的な軸受台、特に、コイルばね２９の付勢力と、それに伴う押圧ばね部２７の特性とは、調節ねじ３１を介して調節可能であり、および／または、こうした調節ねじ３１によって、長手ガイド３０（または、スキー３）に対するヒールピース５の相対位置を必要に応じて変化させることができ、それによって、大きさの異なるシューズへの適合や圧接力の調節を行うことができる。ビンディング１内へスキーシューズが挿入されたときに、いずれにしても弾性的な部材（特に、押圧ばね部２７のコイルばね２９）が負荷を受け、好ましくは、幾分か圧縮されて、ヒールピース５が長手ガイド３０内でスキー端部方向へ僅かに移動せしめられるので、スキーシューズは押圧ばね部２７の作用によってスキー３に対して長手方向にトウピース４とヒールピース５との間にあそびなしに取り付けられることになる。
【００５０】
もちろん、本発明の範囲内において、こうした押圧ばね部２７（または、適当な補償機構）をトウピース４またはヒールピース５内に形成してもよい。
【００５１】
挿入されたスキーシューズに対するこの変位、または、押圧ばね部２７によってもたらされる圧接力の程度は、適切で整然とした機能や安全性のためにも、ビンディング１から得られる性能にとっても重要である。特に、圧接力が小さすぎると、ビンディング１とスキーシューズとの間に望ましくない相対移動がもたらされ、圧接力が高すぎると、スキー３の性能や曲げ特性が悪影響を受け、それによって、トウピース４またはヒールピース５の調節されたセーフティ解放値が著しく損なわれたり、歪曲されたりする。
【００５２】
したがって、センサ２６は、スキーに固定された点（例えば、長手ガイド３０）に対する、あるいは、バンド形状の結合部材に形成された軸受台２８に対する、あるいは、スキー３（または、ビンディング支持プレート）に形成された軸受台２８に対する、ヒールピース５（特に、そのハウジング２４）の相対変位を記録し或いは監視することによって、押圧ばね部２７の圧接力をコントロールし或いは検出することに用いられる。
【００５３】
また、押圧ばね部２７のセンサ２６は、圧力センサ（または、力センサ）として形成されているのではなく、距離センサ（または、間隔センサ）として作用する。特に、センサ２６は、そのセンサ面（または、その検出領域）に対する検出対象（例えば、金属部分、または、永久磁石）の存在を検出する。センサ２６とスキーに固定された検出対象（例えば、軸受台２８）との間の相対変位に応じて特有の電気センサ信号が、少なくとも１つの導線接続３２を介して評価装置１４へ伝達される。好ましくは、センサ２６は、ヒールピース５のハウジング２４に堅固に結合されているので、評価装置１４とセンサ２６との間の導線接続３２は簡単で且つ長期的に機能するように構成することができる。もちろん、評価装置１４の電子基板が然るべく配置されている場合には、センサ２６（または、上述したＺ値を検出するためのセンサ１６）を別体の導線接続１８、３２なしで評価装置１４の電子基板に直接配置してもよい。
【００５４】
さらに、好適な実施形態によれば、ヒールピース５内に配置された評価装置１４は、ヒールピース５の保持爪３４の開放状態および／または閉鎖状態を検出するための少なくとも１つの他のセンサ３３に接続されていてもよい。センサ３３は、上述したセンサ１５、１６、２６と同様に、好ましくは、非接触で調節可能な検出器（または、非接触で検出するセンサ素子）によって形成されている。同様に、センサ３３は、ヒールピース５内の評価装置１４にも接続されている。現在の配置状況に応じて、センサ３３と評価装置１４との間に、破線で示すように、少なくとも１つの導線接続３５を形成することができる。また、保持爪３４の位置（すなわち、ヒールピース５が開放された状態にあるか閉鎖された状態にあるか）に応じて、これに関して特有の異なるセンサ信号が少なくとも１つのセンサ３３から出力され或いは提供される。これら典型的なセンサ信号は、評価装置１４によって評価され、あるいは、センサ特性の状態が求められ、それに基づいてビンディング１（または、ヒールピース５）の現在のカップリング状態を推定することができる。
【００５５】
センサ３３は、特に、きちんと閉鎖されているヒールピース５を管理するために用いられる。特に、例えば、スキーシューズに氷や雪が著しく付着している場合に発生するように、保持爪３４が開放されている場合、あるいは、保持爪３４が部分的にだけ閉鎖されている場合、それに応じた報告、または、例えば、「ＯＰＥＮ」のような警告指示、あるいは、適当な警告シンボルを表示装置７に出力することができる。これにより、保持爪３４が部分的にしか閉鎖位置にないことから生じるヒールピース５の早期の解放や誤った解放を回避することができる。というのは、ビンディング１のユーザーは、きちんとしていない状態について知らされ或いは警告されるからである。これによれば、スキースポーツをする場合に、ビンディングのユーザーにとっても、その周りにいる人々にとっても、安全性を向上させることができる。
【００５６】
少なくとも、ヒールピース側の評価装置１４によってセンサ的に検出された値および／またはヒールピース５の実際の状態は、送受信装置２０を経由してワイヤレスのデータ伝送区間を介して、あるいは、高周波無線信号によって送出され、他方のカップリング部分（特に、トウピース４の送受信装置１９）によって受信され、場合によっては、適当な形で表示装置７に表示される。その代わりに、あるいは、それに加えて、評価装置１３に達した信号（または、データ）をさらに処理し或いは記憶することもできる。
【００５７】
送受信装置１９および／または２０は、外部コンポーネント（特に、独立して外部に形成された電子ユニット３６）に対する信号伝送（または、データ伝送）をもたらすために利用することもできる。この構造的に独立した電子ユニット３６は、例えば、概略的に示したリストトップコンピュータ３７、したがって、マルチ機能腕時計、パーソナルデータアシスタント（ＰＤＡ）、固定型のコントロール装置、または、その他のモバイル計算ユニットによって形成される。場合によっては、同様に、ビンディング１の種々の状態（または、調節値）を電子ユニット３６に表示することができ、あるいは、電子ユニット３６を介して種々の調節または駆動コンフィグレーションを変更することができるので、電子ユニット３６は、場合によっては、ビンディング電子装置（または、回路組立体６）のためのプログラミング装置（または、保守装置）として使用することもできる。回路組立体６とモバイル電子ユニット３６との間の通信は、好ましくは、同様に、双方向矢印で示したように、ワイヤレスの信号伝送区間（または、データ伝送区間）を介して行われる。
【００５８】
送受信装置１９、２０は、適当な周波数領域の電磁波を受信および／または送信することができるように、例えば、ヘリカルアンテナ、ダイポールなどのような適切なアンテナ構成を有する。もちろん、これら送受信装置１９、２０は、従来技術から十分に知られているように、適当な増幅器および／または変調回路または復調回路も有する。送受信装置１９、２０は、概して、ビンディング電子装置のＨＦモジュールであって、例えば、いわゆるブルートゥーステクノロジーの電子モジュールによって形成することもできる。特に、送受信装置１９、２０としてブルートゥースモジュールを使用することによって、ビンディング電子装置を既にあるブルートゥースシステム（または、ブルートゥースアプリケーション）内に簡単に組み込むことができる。
【００５９】
また、評価装置１３および／または１４が、適当な外部の電子ユニット３６に導線（または、ワイヤ）で接続するための接点を備えたインターフェイス３８を有することもできる。このインターフェイス３８は、例えば、ソフトウェアアップデート（または、いわゆるファームウェアアップデート）を評価装置１３、１４へロードし、および／または、評価装置１３、１４に記録され或いは格納されている特性値（または、いわゆるヒストリーデータ）を呼び出すために利用することができる。
【００６０】
図２および図３には、少なくとも１つのピースボディのために調節されたセーフティ解放値を電子的に検出し或いは測定するためのセンサ構成８の好適な実施形態が示されている。
【００６１】
以下では、説明を簡単にするために、後方のビンディング部分（すなわち、ヒールピース５）内の構成のみに触れる。もちろん、こうしたセンサ構成８を前方のピースボディ内に実装することもできる。
【００６２】
センサ構成８は、セーフティ解放値（または、それぞれ調節されたＺ値）の調節を電子的に記録するために、解放機構１２に対応づけられている。解放機構１２は、好ましくは、弾性的な部材（好ましくは、ピースボディのセーフティ解放値を定めるコイルばね４１）用の位置変化可能な軸受台４０として、調節ねじ１１上に変位可能に軸承されたねじナット３９を有する。したがって、解放ばね（または、コイルばね）４１は、調節ねじ１１を介して調節可能な可変の付勢力をもって、変位可能に軸承されているピストン４２に押し付けられ、このピストンはスポーツシューズ用の機械的なカップリング部分（特に、シューズホルダ）に結合されている。
【００６３】
センサ１６は、好ましくは、磁場を感知する検出器（または、磁場センサ）として形成されている。特に、それぞれ調節されたセーフティ解放値を検出するためのセンサ１６は、少なくとも２つのホール効果センサ４３、４４によって形成されている。検出領域内には、多極で環状の磁石４５が配置されている。環状磁石４５は、特に、調節ねじ１１が回動したときに環状磁石４５が同様に同じ程度回動するように、調節ねじ１１に移動結合されている。好ましくは、環状磁石４５は、調節ねじ１１のフランジ（または、カラー）４６に対応づけられている。ここで、調節ねじ１１は、ピースボディの対応する収容ハウジング（例えば、ハウジング２４）内に回動可能に収容されている。また、調節ねじ１１は、回転はするが一定の位置に留まるよう、あるいは、その位置が変わらないように収容ハウジング内で軸承されている。特に、調節ねじ１１はカラー４６を介してピースボディのハウジング２４に支持され、コイルばね４１の可変に調節可能な付勢力は、調節ねじ１１のねじに接して相対移動可能なねじナット３９を介してもたらされる。
【００６４】
したがって、調節ねじ１１が回動すると、環状磁石４５がこれに連動し、これにより、多重に形成された永久磁石の磁場の向き（または、方位、特に、極性）が変化する。好ましくは、永久磁石部材は、環状磁石４５の周面領域に亘ってＮ極とＳ極とが交互に連続するように配置されている。調節ねじ１１が回動したときにもたらされる環状磁石４５の磁場（または、極性）の変化は、２つのホール効果センサ４３、４４によって検出可能であり、あるいは、環状磁石４５はホール効果センサ４３、４４に対するその相対位置に従ってその電気信号状態を調節する。
【００６５】
また、ホール効果センサ４３、４４は、環状磁石４５の周方向に互いに間を開けて配置されている。特に、ホール効果センサ４３、４４間のずれは、一方のセンサが環状磁石４５の一方の極（例えば、Ｎ極）と重なり、他方のセンサがＮ極とＳ極との間の移行領域に対応するように選択される。環状磁石４５の周方向における第１のホール効果センサ４３と第２のホール効果センサ４４との間の空間的なずれ（または、隔たり）によって、図４を参照すると容易に理解できるように、互いに位相のずれたセンサ信号４７、４８が生じる。その後、第２のホール効果センサ４４からのセンサ信号４８の位相に対する第１のホール効果センサ４３からのセンサ信号４７の位相に基づいて、調節ねじ１１の回転方向を推定することができる。特に、２つのホール効果センサ４３、４４の配置によって、回転方向を認識することができるので、セーフティ解放値の増大もセーフティ解放値の減少もセンサ構成８を介して認識することができる。
【００６６】
もちろん、構造的に独立した２つのホール効果センサ４３、４４を配置する代わりに、組み合わされたホール効果検出器（特に、内蔵型の方向認識手段を備えたいわゆるデュアルホール効果センサ）を設けてもよい。同様に、多極の環状磁石４５の代わりに、調節ねじ１１の回転周面に多数の個別の永久磁石を設けてもよい。
【００６７】
図２〜図４をまとめて参照すると明らかなように、ホール効果センサ４３、４４は、好ましくは、いわゆるホール効果スイッチ（または、ホール効果ラッチ）によって形成され、それらはデジタル出力信号（または、デジタルセンサ信号）４７、４８を提供し或いは生成する。したがって、ホール効果センサ４３、４４は、デジタル磁場センサと称することもできる。さらに、図４を参照すれば、第１のセンサ信号４７と第２のセンサ信号４８との間の時間的なずれ（または、位相シフト）４９が明らかに認識できる。
【００６８】
評価装置１４の少なくとも１つの電子的なカウンタ５０（または、いわゆるパルスカウンタ）によって、少なくとも１つのセンサ信号４７、４８のパルス５１が計数される。ここで、調節ねじ１１の回転方向（または、第２のホール効果センサ４４のセンサ信号４８に対する第１のホール効果センサ４３のセンサ信号４７の位相）に従って、不揮発性メモリ装置５２に格納されている調節ねじ１１のこれまでの回転数の値５３がそれに応じてインクリメントされ或いはデクリメントされる。その後、調節ねじ１１が回転すると、それに応じて更新されたセンサ信号４７および／または４８のパルス５１の計数値５３に従って評価装置１４によってそれぞれ調節されたセーフティ解放値（または、Ｚ値）が計算されて視覚化に備えられる。
【００６９】
好ましくは、高い干渉安全性、あるいは、機能確実性を得るために、磁場を感じるセンサ１６のセンサ信号４７、４８は、デジタル電圧信号によって形成される。しかしながら、例えば、Ａ／Ｄ変換や信号調整などを必要とするといった所定の欠点を甘受し、センサ信号４７、４８を、例えば、アナログホールセンサの、例えば、ほぼサイン形状の電圧信号によって形成することもできる。こうした信号においても、アナログセンサ信号のパルス（または、半波、または、周期）を計数し或いは評価することができる。
【００７０】
したがって、セーフティ解放値を検出するためのセンサ１６は、力センサあるいは圧力センサまたは絶対的な測定値発生器または位置発生器ではなく、いわゆるインクリメンタルセンサ（または、インクリメンタル検出器）による増分測定方法が使用される。特に、それぞれ調節されたＺ数は、調節ねじ１１の回転の登録によって認識され、それぞれの調節値は次の更新（または、変化）まで、メモリ装置５２（または、評価装置１４）に格納される。ここで、少なくとも１つの計数値５３用のメモリ装置５２は、バッテリ（または、エネルギ供給装置）２２が故障したとしても、そのメモリ内容が長期的に保持されるＥＥＰＲＯＭメモリによって形成することができる。
【００７１】
いわゆるゼロ校正（あるいは、計数値５３を調節ねじ１１の位置またはセーフティ解放値に適合させること）は、好ましくは、工場側で行われる。あるいは、電子装置を機構に適合させること（または、ゼロ点の校正、または、基準点の校正）は、例えば、ユーザー（または、好ましくは、承認されたサービス場所）によって、後からでも可能である。評価装置１４のエネルギ供給期間をビンディング１の平均の製品寿命よりも長く設計することができることから、エネルギ供給が健全であれば、センサ信号４７および／または４８のパルス５１が評価されないままになることはなく、また、対応する電子評価装置１４、１３による登録を伴わない調節ねじ１１、９の回転が発生することもない。
【００７２】
評価装置１４、１３は、好ましくは、ソフトウェア制御されるプログラミング可能なマイクロコントローラを有する。特に、デジタル評価装置１４、１３が形成されており、用いられるマイクロコントローラは、内部および／または外部のメモリ装置（特に、プログラムメモリ）、および、例えば、ＲＡＭメモリ素子、ＥＥＰＲＯＭメモリ素子、ＰＲＯＭメモリ素子、および／または、フラッシュメモリ素子のような揮発性および／または不揮発性のデータメモリへのアクセスを有する。
【００７３】
トウピース４内の電子評価装置１３またはヒールピース５内の電子評価装置１４（図１参照）のエネルギ消費をできるだけ小さく抑えるために、好適な実施形態では、評価装置１３および／または１４に移動センサ５４を付設してもよい。移動センサ５４は、ビンディング１に移動があったときに、それを検出し、その情報を該当する信号を用いて評価装置１３、１４へ伝達するために用いられる。また、移動センサ５４によって予め定められた期間、移動が登録されない場合、評価装置１３および／または１４（または、電子回路組立体６のその他の電気コンポーネント）がオフにされ或いはエネルギ消費が少ない駆動モード（特に、いわゆる「スリープモード」または「スタンバイモード」）へ移行される。「スリープモード」または「スタンバイモード」では、評価装置１３、１４は、移動センサ５４の信号状態を優先的に検出するように形成されており、そして、その間は、評価装置１３、１４の他の機能は非作動とされ或いは減少される。移動センサを介してビンディング１の十分な移動が登録されるとすぐに、回路組立体６（または、少なくとも、電子評価装置１３、１４）が再びオンとされ或いはアクティブな駆動状態に移行する。特に、これによれば、夏休みの間やビンディング１が通常利用されないままとなる間、電子評価装置１３、１４のエネルギ消費を著しく削減し或いはゼロにまで下げることができる。
【００７４】
また、移動センサ５４は、評価装置１３および／または１４の構成部品基板（または、ビンディング１のピースのハウジング２４および／または２５）に直接固定可能である。こうした移動センサ５４は、従来技術から様々な仕様で知られている。特に、弾性的に軸承された少なくとも１つの電気的なスイッチング舌片（および／または、液体スイッチ、特に、水銀スイッチ）によって移動センサ５４を形成することができる。
【００７５】
好適な実施形態によれば、表示装置７（図１参照）は、表示装置７のエネルギ消費を最小限に抑えるために、移動センサ５４の信号（または、移動が記録されずに経過した期間）に従って、評価装置１３、１４に基づいて、あるいは、移動センサ５４によって直接制御される形でオフにされることが可能である。アクティブな状態ではなく、表示機能を必要としない間は、表示装置７は、自動的にオフにされ或いはエネルギ節約モードへ移行される。同様に、所定の期間に亘って少なくとも１つの移動センサ５４の信号状態が変化しない場合にも、電子評価装置１３、１４をオフにし或いはエネルギ節約モードへ移行することができる。回路組立体６のその他のコンポーネントにも同様なことが当てはまる。
【００７６】
しかしながら、ビンディング１（または、ヒールピース５）が閉鎖された状態（または、駆動せしめられている状態）から開放された状態へ変わったときに、トウピース４（図１参照）内の評価装置１３を介してオフにすることによって、電気回路組立体６のエネルギ消費を減少させることもできる。すなわち、表示装置７のエネルギ消費を最小限に抑え或いはゼロにするために、ユーザーのスキーシューズがビンディングから降ろされたときに、表示装置７を瞬時に或いは所定の遅延をもってオフにしてもよい。
【００７７】
可能な好適な実施形態によれば、上述で説明し挙げたセンサ１５、１６、２６、３３の少なくとも１つを周期的に作動したり非作動としたりすることによって、電気的なエネルギ消費をさらに削減することができる。特に、少なくとも１つのセンサ１５、１６、２６、３３を、例えば、０．１秒のインターバルで短時間作動したり再び非作動したりすることができる。特に、センサ１５、１６、２６、３３の少なくとも１つを、いわゆるスキャン駆動することが好ましい。このとき、オン長さとオフ長さとの間で、例えば、１：５００の高いパルスデューティー比を選択することもできる。この場合、電流消費は、それぞれの係数だけ（例えば、１：５００のパルスデューティー比における係数５００）だけ削減される。これにより、回路組立体６の電流消費が極めて少なく、また、著しく減少せしめられるので、長期間保守が要らない駆動を得ることができ、あるいは、容量が小さく、したがって、組立て大きさにおいてもずっと小さいエネルギ供給装置で間に合わせることができる。スキャンレートが十分に高い場合、または、評価装置１３、１４を介したセンサ１５、１６、２６、３３のスキャン駆動がそれに応じて速い場合には、データ（または、情報）の損失も排除することができる。
【００７８】
ここで、図２に示した解放機構１２の実施形態は、限定するものと見るべきではなく、上述したセンサ構成８またはセンサによって、それぞれ調節されたセーフティ解放値を他のように形成された解放機構によって検出することもできる。
【００７９】
いわゆるホール効果スイッチ（または、ホール効果ラッチ）を使用する代わりに、ホール効果センサ４３、４４をいわゆるリードスイッチによって代用することも考えられ、これらリードスイッチは調節ねじ１１（または、永久磁石リング、または、環状磁石）の位置（または、回動）に従って閉鎖され或いは開放され、これにより、同様に、デジタル出力信号を生成し或いは提供することができ、これら出力信号は、該当する信号パルス（または、スイッチング信号）の周期を計数することによって、電子評価装置１３、１４によって簡単な方法で処理することができる。したがって、このようにしても、調節ねじ１１または調節ねじ９の変位距離（または、場合によっては、３６０°を越える回転角度）および回転方向を登録し、これらを考慮して評価装置１４、１３によってセーフティ解放値（または、Ｚ値）を推定することができる。
【００８０】
図５には、挿入されたスキーシューズへのビンディング１（特に、ヒールピース５）の圧接力を検出するセンサが概略的に示されている。特に、ハウジング２４の内部に圧接力を求めるセンサ２６が配置されている。センサ２６は、好ましくは、ハウジング２４に相対移動しないように結合され、少なくとも１つの導線接続３２を介して電子評価装置１４に信号技術的に接続されている。
【００８１】
センサ２６は、好ましくは、磁場センサ５５（特に、ＧＭＲセンサ（Giant Magneto Resistive Sensor）５６）によって形成される。こうした磁場センサ５５（または、いわゆるＧＭＲセンサ５６）によって、ビンディング（または、ボード状のスポーツ装置の位置固定部分）に対するハウジング２４の線形の位置決定が可能である。こうした位置が固定された部分は、例えば、ビンディングの金属部分５７（および／または、少なくとも１つの永久磁石５８）によって形成することができる。ここで、永久磁石５８は、棒状またはディスク状に形成することができる。それぞれ検出すべき金属部分５７（または、永久磁石５８）と磁場センサ５５との間に存在する間隔５９に従って、特有のセンサ信号が磁場センサ５５に生じ、それが導線接続３２を介して評価装置１４へ伝達される。したがって、磁場センサ５５（または、ＧＭＲセンサ５６）は、ヒールピース５内の押圧ばね部の実の距離測定を可能にし、したがって、押圧ばね部の正しい或いは最適な圧接力の少なくとも存在ないし不在を推定することができる。
【００８２】
略示されているように、スキービンディングに乗り込んだとき、ハウジング２４は、対応する或いは検出領域内にある金属部分５７（または、永久磁石５８）に対して図の矢印の方向へ移動し、これにより、磁場センサ５５の電磁特性が変化する。そして、この場合、磁場センサ５５の測定領域（または、最大測定区間）は、約２０ｍｍ（好ましくは、約１０ｍｍ）である。この場合、磁場センサ５５の最大測定領域は、好ましくは、半分にされ、最大の距離測定領域の中央領域内にゼロ点６０が定められ、このゼロ点で、圧接力が最適となる。ゼロ点６０よりも下あるいは左の値または上あるいは右の値では、圧接力が低すぎ或いは高すぎる。
【００８３】
好ましくは、磁場センサ５５によって、最適または最適でない圧接力を求めることができるだけでなく、圧接状況の中間段階を検出することも可能である。特に、低すぎる圧接力のための測定領域６１が存在し、さらに、高すぎる圧接力を検出するための測定領域６２が与えられている。また、各測定領域６１、６２を低、中、高の領域に分割することができるので、ゼロ点６０によって象徴されている最も好ましい圧接力調節からの偏差を検出して、表示装置７（図１参照）に視覚化することができる。この場合、何の意味もない表示変動を防止するために、ゼロ点６０を中心として、圧接力が最適または正しいと言える所定の値領域が定められていることが重要である。
【００８４】
このように、磁場センサ５５（または、ＧＭＲセンサ５６）を介して距離測定が可能であることによって、例えば、圧接力について、例えば、６または７の異なる値領域が定められ、圧接状況がほぼ間接的に求められ、次に適当な形式で表示装置７に表示される。そのために、磁場センサ５５（または、ＧＭＲセンサ５６）の信号が評価されて、評価装置１４からワイヤレスで表示装置７（または、その前段に配置されている評価装置１３（図１参照））へ伝達される。
【００８５】
こうしたデジタルの磁場センサ５５（または、ＧＭＲセンサ５６）においては、検出すべき金属部分５７（または、永久磁石５８）に対するセンサ面の距離に従って、ほぼ線形の電圧上昇または電圧降下が生じる。特に、１ｍｍの距離変化当たりの電圧上昇または電圧降下が３０〜８０ｍＶ（ミリボルト）でることから、距離測定区間、あるいは、それに伴って生じる押圧ばね部のばね力（または、圧接力）の良好な、あるいは、比較的高い解像が可能である。
【００８６】
図６には、ビンディング部分（特に、ヒールピース）の開放された状態または閉鎖された状態を検出するためのセンサの好適な実施形態が示されている。ピースボディの閉鎖位置または開放位置を検出するセンサ３３は、好ましくは、第１のホールセンサ６３と第２のホールセンサ６４とによって形成される。図６に象徴的に示されている開放位置において、検出すべき検出対象６５は第１のホールセンサ６３の検出領域内にあり、一方、ビンディングの他の検出対象６６は他のホールセンサ６４の検出領域外にある。検出対象６５、６６は、好ましくは、適当な永久磁石６７、６８によって形成される。ビンディング内へのスキーシューズの乗込みが行われてビンディングが閉鎖されるとき、検出対象６５、６６は図の双方向矢印に示すように下方へ移動される。ここで、ビンディングが正しく閉鎖されている状態では、検出対象６６（特に、永久磁石６８）が第２のホールセンサ６４の検出領域内にあり、一方、検出対象６５がホールセンサ６３の検出領域外にあり、あるいは、ホールセンサ６３は、それについて典型的な他のセンサ信号を出力し或いはもたらす。
【００８７】
２つのホールセンサ６３、６４を用いて開放状態と閉鎖状態とを、このようにほぼ冗長に或いは二重に検出することによって、認識の信頼性や正確さを向上させることができる。特に、それによって、開放状態と閉鎖状態との間の許容できない或いは安全上由々しい中間位置も検出することができる。検出対象６５、６６に対応するホールセンサ６３、６４間の相対位置に従って異なるホールセンサ６３、６４の電気的な特性（または、信号）は、評価装置１３によって評価され、これにより、ヒールピース５、または、その保持爪３４（図１参照）の該当する位置を推定することができる。
【００８８】
相対移動検出対象６５、６６として永久磁石６７、６８を使用する代わりに、所定の相対移動する金属部分を設けてもよい。この場合、永久磁石６５、６６は直接ホールセンサ６３、６４に、あるいは、その上に配置される。
【００８９】
もちろん、ホールセンサ６３、６４を使用する代わりに、少なくとも２つのリードスイッチを使用してもよく、これらリードスイッチはそれぞれ対応する永久磁石に対する相対位置に応じて開放される電気的接点または閉鎖される電気的接点を有する。
【００９０】
スキービンディング（または、ヒールピース）が開放された状態または閉鎖された状態を検出するために、磁場を感じる少なくとも１つ（好ましくは、２つ）のセンサが使用されることが重要である。
【００９１】
好ましくは、これらホールセンサ６３、６４（または、リードスイッチ）は、ヒールピース内の固定位置に保持されている。一方、検出対象６５、６６（したがって、永久磁石６７、６８、または、センサを中心とする永久的な磁場を調節する少なくとも１つの金属部分）は、これらが、例えば、保持爪３４用の揺動軸の回転軸線上に、あるいは、揺動可能に軸承されている保持爪３４（図１参照）上に直接配置されていることによって、好ましくは、相対移動可能に配置されている。
【００９２】
磁石の位置が測定されるのか、金属部分の位置が測定されるのかは、単に磁石がホールセンサ６３、６４に対して相対移動可能であるのか、あるいは、直接固定のホールセンサ６３、６４に配置されており、適当な金属部分の接近や離間によって永久磁石６７、６８の磁場が変化せしめられるのかということのみに関係する。すなわち、この変化がホールセンサ６３、６４によって同様に検出可能であり、あるいは、その電気的な特性が調節され、それに基づいて評価装置１４によって、ホールセンサ６３、６４（または、それに応じた磁場センサ）と金属部分６７（または、永久磁石６８）との間の相対移動を推定することができる。
【００９３】
なお、ビンディング１の構造を理解しやすくするために、ビンディングまたはその構成部分は、一部寸法を無視したり拡大したり縮小したり著しく概略的に表示したりされている。
【００９４】
独立した解決の基礎となる課題は、明細書から理解することができる。
【００９５】
特に、図１〜図６に示されている個々の形態は、独立した発明に基づく解決の対象を形成することができる。これに関する、発明に基づく課題と解決は、これらの図の詳細な説明から明らかにされる。
【図面の簡単な説明】
【００９６】
【図１】本発明の安全スキービンディングの可能な実施形態を選択的な外部の計算ユニットまたは電子ユニットと組み合わせて極めて簡略化して概略的に示した側面図である。
【図２】トウピースまたはヒールピースのセーフティ解放値を電子的に検出するためのセンサの好適な実施形態を極めて簡略化して概略的に示している。
【図３】図２に示したセンサの一部を簡略化して概略的に示している。
【図４】図２および図３に示したセンサのデジタル出力信号を簡略化して示すグラフである。
【図５】スキービンディングによってスキーシューズへもたらされる押圧ばね部の圧接力を検出するセンサの好適な実施形態を極めて簡略化して概略的に示している。
【図６】安全スキービンディングの開放状態または閉鎖状態を検出するセンサの好適な実施形態を極めて簡略化して示すグラフである。
【符号の説明】
【００９７】
１…安全スキービンディング
２…滑走装置
３…スキー
４…トウピース
５…ヒールピース
６…回路組立体
７…表示装置
８…センサ構成
９、１１、３１…調節ねじ
１０、１２…解放機構
１３、１４…評価装置
１５、１６、２６、３３…センサ
１７、１８、３２、３５…導線接続
１９、２０…送受信装置
２１、２２…エネルギ供給装置
２３、２４…ハウジング
２５…ディスプレイ
２７…押圧ばね部
２８、４０…軸受台
２９、４１…コイルばね
３０…長手ガイド
３４…保持爪
３６…電子ユニット
３７…リストトップコンピュータ
３８…インターフェイス
３９…ねじナット
４２…ピストン
４３、４４…ホール効果センサ
４５…環状磁石
４６…カラー
４７、４８…センサ信号
４９…位相シフト
５０…カウンタ
５１…パルス
５２…メモリ装置
５３…計数値
５４…移動センサ
５５…磁場センサ
５６…ＧＭＲセンサ
５７…金属部分
５８、６７、６８…永久磁石
５９…間隔
６０…ゼロ点
６１、６２…測定領域
６３、６４…ホールセンサ
６５、６６…検出対象
【図１】
2004230169.tif 000003
【図２】
2004230169.tif 000004
【図３】
2004230169.tif 000005
【図４】
2004230169.tif 000006
【図５】
2004230169.tif 000007
【図６】
2004230169.tif 000008